(57)【要約】      （修正有）【課題】直接肌に接触させて当該発明磁気装身具を装用しても皮膚炎などのアレルギー症状をひき起こすおそれがなく、機能性イオン効果も含め持続性のある磁気装身具を提供する。【解決手段】成分組成が希土類系乃至フェライト系若しくはサマリウムコバルト系乃至希土類プラス、フェライトのハイブリッド磁性体及び、遠赤外線ほかネガティブイオンを附加応用し、更に無機ゲルマニウムを成分組成とした組成物を紐状乃至帯状に成型し、その芯と直交する方向であって磁極の配列が芯と平行に又は芯に螺旋状になるように着磁し、表面に於いて約３５〜１００mＴであることと、組成物に接着剤を塗布し動物乃至植物および化学繊維を短く切断した糸を、静電界付着させ被覆した紐状乃至帯状静電植毛ボンド磁石装身具である。【選択図】図１
2006231005.tif 000002
【特許請求の範囲】
【請求項１】
紐状乃至帯状ボンド磁石装身具にして、その成分組成が希土類系乃至フェライト系若しくは希土類プラス、フェライトのハイブリット磁石乃至サマリウムコバルト系磁石を成分組成とする組成物を紐状乃至帯状に成型し、その芯と直交する方向であって、磁極の配列が芯と平行に直線状乃至中心線を中心に螺旋状になるように着磁し、有機物質からなる筒状体で被覆したことを特徴とするボンド磁石装身具。
【請求項２】
有機物質からなる筒状体が動物乃至人工の皮革、又は動植物乃至高分子樹脂の繊維、糸、布地、或いは高分子樹脂のシートほか、スチレン乃至スチロール等のチューブからなる、これらに静電植毛を施したものから成る、筒状組成体を被覆したことを特徴とする請求項１記載のボンド磁石装身具。
【請求項３】
有機物質からなる筒状体が機能性新素材イオンセルファイバーから成る筒状組成体を被覆したことを特徴とする請求項１記載のボンド磁石装身具。
【請求項４】
磁性体の持つ磁束密度が筒状体の表面に於いて、約３５〜１００ｍＴであることと、ネガティブイオン約５００〜３０００粒、放出していることを特徴とする請求項２記載のボンド磁石装身具。
【請求項５】
紐状乃至帯状静電植毛ボンド磁石組成物で、磁性体の持つ磁束密度が、静電植毛ボンド磁石組成物表面に於いて、約３５〜１００ｍＴであることを、特徴とするビロード状表面仕上げにしたことを特徴とした、紐状乃至帯状静電植毛ボンド磁石装身具。
【請求項６】
紐状乃至帯状静電植毛ボンド磁石組成物で、磁性体の持つ磁束密度が、静電植毛ボンド磁石組成物表面に於いて約３５〜１００ｍＴである事と、ネガティブイオンが、約５００〜３０００粒、放出していることと、さらに、無機ゲルマニウムより産生する、遠赤外線発現を特徴とした請求項５記載の紐状乃至帯状静電植毛ボンド磁石装身具。
【請求項７】
紐状乃至帯状静電植毛ボンド磁石組成物で、磁性体の持つ磁束密度が、静電植毛ボンド磁石組成物表面に於いて約３５〜１００ｍＴである事と、ネガティブイオンが、約５００〜３０００粒、放出していることと、さらに、添加した無機ゲルマニウムより産生する、遠赤外線乃至トルマリン微細パウダーを、成分組成に加えて遠赤外線効果をさらに発現させたことを特徴とした請求項６記載の紐状乃至帯状静電植毛ボンド磁石装身具。
【請求項８】
当該発明は、紐状乃至帯状静電植毛ボンド磁石組成物で、磁性体の持つ磁束密度が、静電植毛ボンド磁石組成物表面に於いて約３５〜１００ｍＴである事と、ラジウム鉱石微細パウダーより産生する、微量放射線ホルミシス乃至ネガティブイオンが、約５００〜３０００粒、放出していることと、さらに、トルマリン微細パウダーを、成分組成に加えて遠赤外線効果をさらに発現させたことを特徴とした、紐状乃至帯状静電植毛ボンド磁石装身具。
【請求項９】
紐状乃至帯状静電植毛ボンド磁石組成物で、磁性体の持つ磁束密度が、静電植毛ボンド磁石組成物表面に於いて約３５〜１００ｍＴである事と、トリウム微細パウダーより産生する、微量放射線ホルミシス乃至ネガティブイオンが、約５００〜３０００粒、放出していることと、さらに、トルマリン微細パウダーを、成分組成に加えて遠赤外線効果をさらに発現させたことを特徴とした、紐状乃至帯状静電植毛ボンド磁石装身具。
【発明の詳細な説明】
【技術分野】
【０００１】  当該発明は、紐状乃至帯状静電植毛ボンド磁石組成物より発生する、磁気及びその組成物による、微量放射線ホルミシス乃至遠赤外線乃至ネガティブイオンを応用した、健康磁気装身具に関する。
【背景技術】
【０００２】  従前より、磁石を肌に密着させると、血行の促進に効果があることが知られている。この特性を利用して、粒状磁石を絆創膏で、首や肩などに貼り付け、凝りを緩和させたり、装身具などに直接磁石を埋め込んだりして使用する発明も開示されている。【０００３】  従前より、金、銀、またはプラチナなど、貴金属と遠赤外線を放射するセラミックス乃至鉱石を組み合わせ形成された装身具が知られている。この装身具は肌に直接触れるように使用して、身体の血行を増進しようとするものである。【０００４】  従前より、赤外線の波長域のなかで、遠赤外線効果をもたらすと云われている物質を自然界より抽出した、赤外線放射物質で装身具を作るということが行なわれている。【０００５】  従前より、磁石を応用した健康磁気装身具は多数存在するが、いずれも図３に示すように棒状又は球状の固体磁石１１を適当な方法で、例えば鎖１２等で繋ぎ合わせ接続具に装飾１３に取り付けたものである。又は図４に示すように、２個の磁石１１を金属リング１４に取り付けたものであって、美しく見せる為に彫金嵌合乃至鍍金または塗装されていた。
【発明の開示】
【発明が解決しようとする課題】
【０００６】  従前より、装身具に彫金嵌合乃至鍍金したものは表面が金乃至銀、又はプラチナなどの金属であり、肌の弱い特異体質の人々に対しては金属アレルギーによる皮膚炎などの症状を引き起こすことがあった。【０００７】  従前より、焼結合金の磁石を用いるため磁束保持力が弱く磁力の持続性が無く磁気効果が低下しやすかった。さらに磁気が肌にあたるのは局所的であり、その効果も局所的で十分な効果が得られなかった。【０００８】  よって当該発明が、上述したような問題点を解決するためになされたものであって、その目的は金属アレルギーの発生を抑え、持続性の高い磁生体乃至ネガティブイオン乃至微量放射線ホルミシス及び、遠赤外線効果をもつ天然由来の組成物を附加応用して、直接肌に接触させて当該発明装身具を装用しても皮膚炎などの症状が現れるおそれがなく、機能性イオン効果も含めその持続性の高い磁気装身具を得ようとするものである。
【課題を解決するための手段】
【０００９】  当該発明は、紐状乃至帯状に成型し、その芯と直交する方向であって磁極の配列が芯と平行に又は芯に螺旋状になるように着磁し、表面に於いて約３５〜１００ｍＴであることと、組成物に接着剤を塗布し動物乃至植物および化学繊維を短く切断した糸を、静電界付着させ被覆した紐状乃至帯状静電植毛ボンド磁石装身具であることを特徴とする。【００１０】  当該発明は、磁気の強さが筒状体の表面に於いて約３５〜１００ｍＴである事と、一般的に自然環境での最良と言われている、森林・川辺・滝壷の周辺に於ける約５００〜３０００個のネガティブイオンが存在している事から、自然環境と同等で理想的な数値のネガティブイオンが、約５００〜３０００粒、放出していることを特徴とする。【００１１】  当該発明は、前述した組成物を、被覆素材に有機物質の筒状体被覆も良好で動物又は人工の皮革、動植物又は高分子樹脂の繊維、糸、布地或いは高分子樹脂のシートやスチレン乃至スチロール等のチューブからなる、これらに、静電植毛を施したものでも良く、筒状体を被覆したことを特徴とする。【００１２】  したがって、従前の健康磁気装身具のような金属が、直接肌に触れることがなく、直接的金属アレルギー症状の励起を、無くすことができることを特徴とする。【００１３】  また、紐状乃至帯状静電植毛ボンド磁石の磁束密度を適度の強さとし、また一様に近い磁気が連続して肌にあたるようにしたことを特徴とする。【００１４】  法規制レベル３７０ベクレル／ｇ以内の制定された安全基準を厳守し、ラジウム乃至無機ゲルマニウム乃至トリウムを、成分組成の特徴としたことで、ラジウム乃至無機ゲルマニウム乃至トリウムより産生する微量放射線ホルミシスは、生体を刺激し各種ホルモンの分泌を促し、生体機能の増進や細胞賦活作用をもち恒常性維持機能を向上させる働きがあるので、機能性イオン効果も含め磁気装身具の効能を、さらに向上させたことを特徴とする。
【発明の効果】
【００１５】  上述したように当該発明は、紐状乃至帯状静電植毛ボンド磁石組成物にして、その成分組成が希土類系乃至フェライト系若しくはサマリウムコバルト系乃至希土類プラス、フェライトのハイブリット磁性体及び、遠赤外線ほかネガティブイオンを組成体に附加応用して、更に、無機ゲルマニウムを成分組成を特徴とした組成物を、有機物質の筒状体乃至静電植毛筒状体で被覆したので、従前の健康磁気装身具のような金属が直接肌に触れることがなく、したがって直接的金属アレルギーの励起を無くすことができる。また磁力を適度の強さとし、一様に近い磁気が連続して肌に当たるようにしたので、機能性イオン効果も含め磁気の効能を、更に向上することができることを奏する。【００１６】  さらに、当該発明は、法規制レベル３７０ベクレル／ｇ以内の制定された安全基準を厳守し、ラジウム鉱石乃至無機ゲルマニウム乃至トリウムを成分組成の特徴としたことで、ラジウム乃至ゲルマニウム乃至トリウムより、産生する微量放射線ホルミシスは、生体を刺激し各種ホルモンの分泌を促し、生体機能の増進や細胞賦活作用をもち、恒常性維持機能を向上させる働きがある装身具を提供できる。【００１７】  上述したように当該発明は、自然環境での最良と言われている、森林・川辺・滝壷の周辺に於ける約５００〜３０００個のネガティブイオンが存在している事から、自然環境と同等で理想的な数値といえる、機能性イオン効果も含め磁気の効能を更に、向上させた装身具を提供できる。
【実施例】
【実施例１】
【００１８】  図１は、当該発明の１実施例を表現したもので、下記の例によって本発明が実施例だけに限定されるものではない。
（ａ）は紐状に成型されたボンド磁石の外観斜視図で断面は、円形乃至楕円形。
（ｂ）は有機物質よりなる筒状体の外観斜視図。
（ｃ）は完成したボンド磁石装身具の正面図である。
（ｄ）はボンド磁石装身具の上面図である。
【実施例２】
【００１９】  図２は、当該発明の２実施例の正面図である。
【実施例３】
【００２０】  図５は、当該発明の３実施例の正面図である。
【図面の簡単な説明】
【００２１】  １は紐状に成型されたボンド磁石である。断面は円形乃至楕円形である。その成分組成が希土類系乃至フェライト系若しくは希土類プラス、フェライトのハイブリット系乃至サマリウムコバルト系磁石を特徴とする組成材料を、押し出し機等で押し出して紐状に成型し、芯と直交する方向であって、磁極の配列が芯と平行に、又は、芯を中心に螺旋状になるように着磁する。着磁の強さ乃至ネガティブイオン発生量は後記する筒状体２に通した時、その筒状体２の表面磁束で約３５〜１００ｍＴ及び約５００〜３０００粒ネガティブイオン放出とする。磁極の配列は紐の芯に対し平行な直線状でも良いが、螺旋状とすれば、紐の肌にあたる位置によって磁気の強さが比較的に変化が少なく、蝶旋状にすることが望ましい。【００２２】  図１（ｂ）に於いて、２は繊維、糸等を編んだ筒状体で有る。糸は、種々の色に着色した糸でもよい。また金属アレルギーで無い方達の為には、金糸銀糸を混ぜても良い。また高分子樹脂、例えば、ナイロン、ポリエステルその他の繊維や糸でもよいし、スチレンやスチロール等のチューブに静電植毛を施した物であってもよい。【００２３】  図１（ｃ）に於いて、３は止め具で筒状体の両端をクランプし接続具を取り付けるものである。４は環状の雄型接続具、５は突起、６は接続のための隙間、７は雌型接続具である。【００２４】  図１（ｄ）に於いて、８は接続孔である。これを製造するには着磁して紐状ボンド磁石１を筒状体２の中を通す。次にその両端に接続具４′７の付いた止め具３を固着する。ネックレスの場合は、紐状ボンド磁石１と筒状体２を長くし、ブレスレット乃至アンクレットの場合は、紐状ボンド磁石１と筒状体２とを短くする。そして止め具３又は接続具４′７には真珠や宝石を用いた装飾を取り付ける。【００２５】  使用するときは、首又は手足首の周りに紐状ボンド磁石１の入った筒状体２をループ状に折り曲げて雄型接続具４の突起５を開方向に動かすと隙間６が開いて雌型接続具７を通すことができ、突起５から手を放せば、不図示のスプリングの作用で隙間６が閉じ、雄型接続具４が接続孔８に挿入され、接続具４′７が外れなくなりループが形成される。このようにして、首や手足首に装着される。【００２６】  図２は、当該発明の２実施例で雄型接続具４′としてスプリング９を有するもので、スプリング９を指で押せば隙間ができ雌型接続具７の接続孔に通すことができる。その他止め具３に接続具として左右異なった磁極を有する磁石を取り付け吸着させてループを造るようにしても良い。このようにして、金属が直接肌に触れることがないので、金属アレルギー症を起こすことを防止することができ、お洒落感覚の装身具を得ることができる。【００２７】  図５は、当該発明の３実施例の正面図である。図５に於いて、１部切り描いた図面の３は、１７を止めるための締め具である。１５は、丸みを帯びた形状で、肌に違和感の少ない雄型接続具、１６は、丸みを帯びた形状で、肌に違和感の少ない雌型接続具である。装着する際は、１５および１６を持ち嵌め込む、また、外す際には折り曲げる様にすれば良い。【００２８】  これを製造するには、着磁して紐状乃至帯状静電植毛ボンド磁石組成物１７、次にその両端に��続具１５・１６の付いた止め具を挿入固着する。ネックレスの場合は、紐状乃至帯状静電植毛ボンド磁石組成物１７を長くし、ブレスレット乃至アンクレットの場合は、紐状乃至帯状静電植毛ボンド磁石組成物、１７を、短くして接続具１５・１６取り付けることで、肌に違和感の少ないお洒落感覚の紐状乃至帯状静電植毛ボンド磁石装身具を、得ることが出来る。装着する際は、１５および１６を持ち嵌め込む、また、外す際には折り曲げる様にすれば良い。
【図面の簡単な説明】
【００２９】
【図１】  当該発明の１実施例の磁気装身具。（ａ）  紐状に成型されたボンド磁石の外観斜視図。（ｂ）  有機物質よりなる筒状体の外観斜視図。（ｃ）  １実施例のボンド磁石装身具の上面図。（ｄ）  １実施例のボンド磁石装身具の正面図。
【図２】  当該発明の２実施例のボンド磁石装身具の正面図。
【図３】  従来例１の磁気装身具の外観図。
【図４】  従来例２の磁気装身具の外観図。
【図５】  当該発明の３実施例の紐状静電植毛ボンド磁石装身具の正面図及び止め具。
【符号の説明】
【００３０】１        紐状に成型されたボンド磁石
２        有機物質の筒状体
３        止め具
４        ４′雄型接続具
５        突起
６        接続のための隙間
７        雌型接続具
８        接続孔
９        スプリング
１１      磁石
１２      鎖
１３      装飾
１４      金属リング
１５      雄型接続具
１６      雌型接続具
１７      紐状乃至帯状静電植毛ボンド磁石組成物ビロード状表面仕上げ
【図１】
2006231005.tif 000003
【図２】
2006231005.tif 000004
【図３】
2006231005.tif 000005
【図４】
2006231005.tif 000006
【図５】
2006231005.tif 000007
【手続補正書】
【提出日】平成17年7月25日(2005.7.25)
【手続補正１】
【補正対象書類名】明細書
【補正対象項目名】全文
【補正方法】変更
【補正の内容】
【発明の詳細な説明】
【技術分野】
【０００１】  当該発明は、紐状乃至帯状静電植毛ボンド磁石組成物より発生する、磁気及びその組成物による、微量放射線ホルミシス乃至遠赤外線乃至ネガティブイオンを応用した、健康磁気装身具に関する。
【背景技術】
【０００２】  従前より、磁石を肌に密着させると、血行の促進に効果があることが知られている。この特性を利用して、粒状磁石を絆創膏で、首や肩などに貼り付け、凝りを緩和させたり、装身具などに直接磁石を埋め込んだりして使用する発明も開示されている。【０００３】  従前より、金、銀、またはプラチナなど、貴金属と遠赤外線を放射するセラミックス乃至鉱石を組み合わせ形成された装身具が知られている。この装身具は肌に直接触れるように使用して、身体の血行を増進しようとするものである。【０００４】  従前より、赤外線の波長域のなかで、遠赤外線効果をもたらすと云われている物質を自然界より抽出した、赤外線放射物質で装身具を作るということが行なわれている。【０００５】  従前より、磁石を応用した健康磁気装身具は多数存在するが、いずれも図３に示すように棒状又は球状の固体磁石１１を適当な方法で、例えば鎖１２等で繋ぎ合わせ接続具に装飾１３に取り付けたものである。又は図４に示すように、２個の磁石１１を金属リング１４に取り付けたものであって、美しく見せる為に彫金嵌合乃至鍍金または塗装されていた。【０００６】
【特許文献１】特許公開平５−３０９１３８
【特許文献２】特許公開２００２−１１２８１２
【特許文献３】特許公開２００３−３１０３１７
【特許文献４】特許公開２００４−８３８９
【実用新案文献１】
登録実用新案３１０７７８９号
【発明の開示】
【０００７】  当該発明は、紐状乃至帯状静電植毛ボンド磁石組成物にして、その成分組成が希土類系乃至フェライト系若しくはサマリウムコバルト系乃至希土類プラス、フェライトのハイブリット磁性体及び、遠赤外線ほかネガティブイオンを組成体に附加応用して、更に、無機ゲルマニウムを成分組成のもっとも主要な特徴とした組成物を、有機物質の筒状体乃至静電植毛筒状体で被覆したので、従来の健康磁気装身具のような金属が、直接肌に触れることがなく、したがって直接的金属アレルギーの励起を無くすことができる。また磁力を適度の強さとし、また一様に近い磁気が連続して肌に当たるようにしたので、イオン効果も含め磁気の効能を更に向上することができる。
【０００８】  さらに、当該発明は、法規制レベル３７０ベクレル／ｇ以内の制定された安全基準を厳守し、ラジウム鉱石乃至トリウム乃至無機ゲルマニウムを成分組成のもっとも主要な特徴としたことで、ラジウム乃至トリウム乃至ゲルマニウムより、産生する微量放射線ホルミシス（ホルミシスｈｏｒｍｅｓＩｓ：ギリシャ語で刺激）は、生体を刺激し各種ホルモンの分泌を促し、生体機能の増進や細胞賦活作用をもち恒常性維持機能（ホメオスターシス）を向上させる働きがある。
【０００９】  機能性新素材イオンセルファイバーの概要・１平方メートル当りの表面積から約７００個のネガティブイオンが空気中に発生します。一般的に自然環境での最良と言われている、森林・川辺・滝壷の周辺に於ける約５００〜３０００個のネガティブイオンが存在している事から、自然環境と同等で理想的な数値といえる。
【発明が解決しようとする課題】
【００１０】  従前より、装身具に彫金嵌合乃至鍍金したものは表面が金乃至銀、又はプラチナなどの金属であり、肌の弱い特異体質の人々に対しては金属アレルギーによる皮膚炎などの症状を引き起こすことがあった。
【００１１】  従前より、焼結合金の磁石を用いるため磁束保持力が弱く磁力の持続性が無く磁気効果が低下しやすかった。さらに磁気が肌にあたるのは局所的であり、その効果も局所的で十分な効果が得られなかった。
【００１２】  よって当該発明が、これらの問題点を解決するためになされたものであって、その目的は金属アレルギーの発生を抑え、磁気乃至ネガティブイオン（マイナスイオン効果）及び、微量放射線ホルミシス（ホルミシスｈｏｒｍｅｓＩｓ：ギリシャ語で刺激）乃至遠赤外線効果をもつ天然由来の組成物を附加応用して、さらに、直接肌に接触させて当該装身具を装用しても皮膚炎などの症状が現れるおそれがなく、その持続性の高い磁気装身具を得ようとするものである。
【課題を解決するための手段】
【００１３】  当該発明は、紐状乃至帯状に成型し、その軸方向と直交する方向であって磁極の配列が軸と平行に又は軸を中心に螺旋状になるように着磁し、表面に於いて約３５〜１００ｍＴ（約３５０〜１０００ガウス）である事と、組成物に接着剤を塗布し動物乃至植物および化学繊維を短く切断した糸を、静電界付着させ被覆した紐状乃至帯状静電植毛ボンド磁石装身具であることを、もっとも主要な特徴とする。
【００１４】  当該発明は、磁気の強さが筒状体の表面に於いて約３５〜１００ｍＴ（約３５０〜１０００ガウス）である事と、一般的に自然環境での最良と言われている、森林・川辺・滝壷の周辺に於ける約５００〜３０００個のネガティブイオン（マイナスイオン）が存在している事から、自然環境と同等で理想的な数値のネガティブイオンが、約５００〜３０００粒、放出していることを、主要な特徴とする。
【００１５】  当該発明は、こうした組成体を、被覆素材に有機物質の筒状体被覆も良好で動物又は人工の皮革、動植物又は高分子樹脂の繊維、糸、布地或いは高分子樹脂のシートやスチレン乃至スチロール等のチューブからなる、これらに、静電植毛を施したものでも良く、筒状組成体を被覆したことを、特徴とする。
【００１６】  したがって、従来の健康磁気装身具のような金属が、直接肌に触れることがなく、直接的金属アレルギー反応の励起を、無くすことができることを、特徴とする。
【発明の効果】
【００１７】上述したように当該発明の紐状乃至帯状静電植毛ボンド磁石は、磁束密度を適度の強さとしたので、また一様に近い磁気が連続して肌にあたるように、せしめたたことで、健康増進効果をさらに向上させた装身具を提供できる。
【００１８】法規制レベル３７０ベクレル／ｇ以内の制定された安全基準を厳守し、ラジウム乃至無機ゲルマニウムを、成分組成の最も主要な特徴としたことで、ラジウム乃至無機ゲルマニウムより産生する微量放射線ホルミシス（ホルミシスｈｏｒｍｅｓＩｓ：ギリシャ語で刺激）は、生体を刺激し各種ホルモンの分泌を促し、生体機能の増進や細胞賦活作用をもち恒常性維持機能（ホメオスターシス）を向上させる働きがあるので、イオン効果も含め一般にいう磁気装身具の効能を、さらに発揮するものである。
【発明の実施するための最良の形態】
【００１９】  以下、当該発明の実施の形態を図１、図２、図５に基ずいて説明する。
【００２０】当該発明の実施の形態を表現したもので、下記の例によって本発明が実施例だけに限定されるものではない。
【００２１】  図１（ａ）は紐状に成型されたボンド磁石である。断面は円形乃至楕円形である。その成分組成が希土類系乃至フェライト系若しくは希土類プラス、フェライトのハイブリット系乃至サマリウムコバルト系磁石を特徴とする組成材料を押し出し機等で押し出して紐状に成型し、軸と直交する方向であって、磁極の配列が抽と平行に、又は、軸を中心に螺旋状になるように着磁する。着磁の強さ乃至ネガティブイオン（マイナスイオン）発生量は後記する（ｂ）筒状体２に通した時、その（ｂ）筒状体２の表面磁束で約３５〜１００ｍＴ（約３５０〜１０００ガウス）及び約５００〜３０００粒マイナスイオン放出とする。磁極の配列は紐の抽に対し平行な直線状でも良いが、螺旋状とすれば、紐の肌にあたる位置によって磁気の強さが比較的に変化が少なく、蝶旋状にすることが望ましい。
【００２２】  図１（ｂ）に於いて、２は繊維、糸等を編んだ筒状体で有る。糸は、種々の色に着色した糸でもよい。また金属アレルギーで無い方達の為には、金糸銀糸を混ぜても良い。また高分子樹脂、例えば、ナイロン、ポリエステルその他の繊維や糸でもよいし、スチレンやスチロール等のチューブに静電植毛を施した物であってもよい。
【００２３】  図１（ｃ）に於いて、３は止め具で筒状体の両端をクランプし接続具を取り付けるものである。４は環状の雄型接続具、５は突起、６は接続のための隙間、７は雌型接続具である。
【００２４】  図１（ｄ）に於いて、８は接続孔である。これを製造するには着磁して紐状ボンド磁石１を筒状体２の中を通す。次にその両端に接続具４′７の付いた止め具３を固着する。ネックレスの場合は、紐状プラスチック磁石１と筒状体２を長くし、ブレスレット乃至アンクレットの場合は、磁石１と紐状体２とを短くする。そして止め具３又は接続具４′７には真珠や宝石を用いた装飾を取り付ける。
【００２５】  使用するときは、首又は手足首の周りに紐状ボンド磁石１の入った筒状体２をループ状に折り曲げて雄型接続具４の突起５をＡ方向に動かすと隙間６が開いて雌型接続具７を通すことができ、突起５から手を放せば、不図示のスプリングの作用で隙間６が閉じ、雄型接続具４が接続孔８に挿入され、接続具４′７が外れなくなりループが形成される。このようにして、首や手足首に装着される。
【００２６】  図２は、当該発明の２実施例で雄型接続具４′としてスプリング９を有するもので、スプリング９を指で押せば隙間ができ雌型接続具７の接続孔に通すことができる。その他止め具３に接続具として左右異なった磁極を有する磁石を取り付け吸着させてループを造るようにしても良い。このようにして、金属が直接肌に触れることがないので、金属アレルギー症を起こすことを防止することができ、お洒落感覚の装身具を得ることができる。
【００２７】  図５は、当該発明の３実施例の正面図である。図５に於いて、１部切り描いた図面の３は、１７を止めるための締め具である。１５は、丸みを帯びた肌に違和感の少ない雄型接続具、１６は、丸みを帯びた肌に違和感の少ない雌型接続具である。装着する際は、１５および１６を持ち嵌め込む、また、外す際には折り曲げる様にすれば良い。
【００２８】  これを製造するには着磁して紐状乃至帯状静電植毛ボンド磁石組成物１７、次にその両端に接続具１５・１６の付いた止め具を挿入固着する。ネックレスの場合は、紐状乃至帯状静電植毛ボンド磁石組成物（ビロード状表面仕上げ）１７を長くし、ブレスレット乃至アンクレットの場合は、紐状乃至帯状静電植毛ボンド磁石組成物、１７を、短くして接続具１５・１６取り付けることで、肌に違和感の少ないお洒落感覚の紐状乃至帯状静電植毛ボンド磁石装身具を、得ることが出来る。装着する際は、１５および１６を持ち嵌め込む、また、外す際には折り曲げる様にすれば良い。
【図面の簡単な説明】
【００２９】
【図１】  当該発明の１実施例の磁気装身具  （ａ）  紐状に成型されたボンド磁石の外観斜視図。（ｂ）  有機物質よりなる筒状体の外観斜視図。（ｃ）  １実施例のボンド磁石装身具の上面図。（ｄ）  １実施例のボンド磁石装身具の正面図。
【図２】  当該発明の２実施例のボンド磁石装身具の正面図。
【図３】  従来例１の磁気装身具の外観図。
【図４】  従来例２の磁気装身具の外観図。
【図５】  当該発明の１実施例の紐状静電植毛ボンド磁石装身具の正面図及び止め具。
【符号の説明】
【００３０】１        紐状に成型されたボンド磁石
２        有機物質の筒状体
３        止め具
４        ４′雄型接続具
５        突起
６        接続のための隙間
７        雌型接続具
８        接続孔
９        スプリング
１１      磁石
１２      鎖
１３      装飾
１４      金属リング
１５      図５雄型接続具
１６      図５雌型接続具
１７      紐状乃至帯状静電植毛ボンド磁石組成物（ビロード状表面仕上げ）